(57)【要約】【課題】外部記憶装置において暗号化等を不正に解除する機会を与えず、また消去漏れ等があったとしても情報の漏洩を防止する。【解決手段】自ら保持するデータへのアクセスを許可する情報処理装置を識別するための第１の識別情報を保存する。前記情報処理装置に接続されたことを検知した場合に、当該情報処理装置を識別するための第２の識別情報を当該情報処理装置から取得する。前記第１の識別情報と、前記第２の識別情報を比較し、一致した際には前記自ら保持するデータにアクセスを許可する。前記第２の識別情報を取得できなかった場合、前記第１の識別情報を保存していない場合、前記第１の識別情報と前記第２の識別情報が一致しなかった場合、の何れかの場合に該当する際は前記自ら保持するデータ及び前記第１の識別情報を初期化した後に前記情報処理装置からの新規データ書込みを許可する。【選択図】図１
2011039975.tif 000002
【特許請求の範囲】
【請求項１】
情報処理装置に接続される外部記憶装置において、
前記外部記憶装置が自ら保持するデータへのアクセスを許可する情報処理装置を識別するための第１の識別情報を保存する管理情報保存手段と、
前記情報処理装置に接続されたことを検知した場合に、当該情報処理装置を識別するための第２の識別情報を当該情報処理装置から取得する識別情報管理手段と、
前記第１の識別情報と、前記第２の識別情報を比較し、前記第１の識別情報と、前記第２の識別情報が一致した際には前記自ら保持するデータにアクセスを許可する制御手段と、
を備え、
前記識別情報管理手段が前記第２の識別情報を取得できなかった場合、前記管理情報保存手段が前記第１の識別情報を保存していない場合、前記第１の識別情報と前記第２の識別情報が一致しなかった場合、の何れかの場合に該当する際は前記自ら保持するデータ及び前記第１の識別情報を初期化した後に前記情報処理装置からの新規データ書込みを許可することを特徴とする外部記憶装置。
【請求項２】
請求項１に記載の外部記憶装置において、
前記新規データ書込みを許可した後に、当該データ書込みの完了を検出した際は前記情報処理装置のユーザに識別情報の入力を要求し、当該要求に応じた前記ユーザからの識別情報の入力を受け付けた場合は、当該受け付けた識別情報を前記第１の識別情報として前記管理情報保存手段に保存することを特徴とする外部記憶装置。
【請求項３】
請求項１又は２に記載の外部記憶装置において、
前記制御手段によりアクセスを許可された前記情報処理装置が前記自ら保持するデータの読み込みを終了した際に読取完了を示すフラグを設定し、前記外部記憶装置が前記情報処理装置から取り外される際に前記読取完了を示すフラグが設定されている場合は、前記自ら保持するデータ及び前記読取完了を示すフラグを消去することを特徴とする外部記憶装置。
【請求項４】
請求項３に記載の外部記憶装置において、
前記読取完了を示すフラグが設定されている場合に、前記自ら保持するデータ及び前記読取完了を示すフラグを消去した後に、前記第１の識別情報を保存していないのであれば前記自ら保持するデータ及び前記第１の識別情報を初期化することを特徴とする外部記憶装置。
【請求項５】
請求項１乃至４の何れか１項に記載の外部記憶装置において、
前記外部記憶装置が前記情報処理装置から取り外された後に、前記外部記憶装置に電力を供給するためのコンデンサを更に備えていることを特徴とする外部記憶装置。
【請求項６】
情報処理装置に接続される外部記憶装置における外部記憶方法であって、
前記外部記憶装置が自ら保持するデータへのアクセスを許可する情報処理装置を識別するための第１の識別情報を保存する管理情報保存領域を用意するステップと、
前記情報処理装置に接続されたことを検知した場合に、当該情報処理装置を識別するための第２の識別情報を当該情報処理装置から取得する識別情報管理ステップと、
前記第１の識別情報と、前記第２の識別情報を比較し、前記第１の識別情報と、前記第２の識別情報が一致した際には前記自ら保持するデータにアクセスを許可する制御ステップと、
を備え、
前記識別情報管理ステップが前記第２の識別情報を取得できなかった場合、前記管理情報保存領域が前記第１の識別情報を保存していない場合、前記第１の識別情報と前記第２の識別情報が一致しなかった場合、の何れかの場合に該当する際は前記自ら保持するデータ及び前記第１の識別情報を初期化した後に前記情報処理装置からの新規データ書込みを許可することを特徴とする外部記憶方法。
【請求項７】
請求項６に記載の外部記憶方法において、
前記新規データ書込みを許可した後に、当該データ書込みの完了を検出した際は前記情報処理装置のユーザに識別情報の入力を要求し、当該要求に応じた前記ユーザからの識別情報の入力を受け付けた場合は、当該受け付けた識別情報を前記第１の識別情報として前記管理情報保存領域に保存することを特徴とする外部記憶方法。
【請求項８】
請求項６又は７に記載の外部記憶方法において、
前記制御ステップによりアクセスを許可された前記情報処理装置が前記自ら保持するデータの読み込みを終了した際に読取完了を示すフラグを設定し、前記外部記憶装置が前記情報処理装置から取り外される際に前記読取完了を示すフラグが設定されている場合は、前記自ら保持するデータ及び前記読取完了を示すフラグを消去することを特徴とする外部記憶方法。
【請求項９】
請求項８に記載の外部記憶方法において、
前記読取完了を示すフラグが設定されている場合に、前記自ら保持するデータ及び前記読取完了を示すフラグを消去した後に、前記第１の識別情報を保存していないのであれば前記自ら保持するデータ及び前記第１の識別情報を初期化することを特徴とする外部記憶方法。
【請求項１０】
請求項６乃至９の何れか１項に記載の外部記憶方法において、
前記外部記憶装置が前記情報処理装置から取り外された後に、前記外部記憶装置に電力を供給するためのコンデンサを前記外部記憶装置が更に備えていることを特徴とする外部記憶方法。
【請求項１１】
情報処理装置に接続される外部記憶装置に搭載される外部記憶プログラムにおいて、
前記外部記憶装置が自ら保持するデータへのアクセスを許可する情報処理装置を識別するための第１の識別情報を保存する管理情報保存手段と、
前記情報処理装置に接続されたことを検知した場合に、当該情報処理装置を識別するための第２の識別情報を当該情報処理装置から取得する識別情報管理手段と、
前記第１の識別情報と、前記第２の識別情報を比較し、前記第１の識別情報と、前記第２の識別情報が一致した際には前記自ら保持するデータにアクセスを許可する制御手段と、
を備え、
前記識別情報管理手段が前記第２の識別情報を取得できなかった場合、前記管理情報保存手段が前記第１の識別情報を保存していない場合、前記第１の識別情報と前記第２の識別情報が一致しなかった場合、の何れかの場合に該当する際は前記自ら保持するデータ及び前記第１の識別情報を初期化した後に前記情報処理装置からの新規データ書込みを許可する外部記憶装置としてコンピュータを機能させることを特徴とする外部記憶プログラム。
【請求項１２】
請求項１１に記載の外部記憶プログラムにおいて、
前記新規データ書込みを許可した後に、当該データ書込みの完了を検出した際は前記情報処理装置のユーザに識別情報の入力を要求し、当該要求に応じた前記ユーザからの識別情報の入力を受け付けた場合は、当該受け付けた識別情報を前記第１の識別情報として前記管理情報保存手段に保存することを特徴とする外部記憶プログラム。
【請求項１３】
請求項１１又は１２に記載の外部記憶プログラムにおいて、
前記制御手段によりアクセスを許可された前記情報処理装置が前記自ら保持するデータの読み込みを終了した際に読取完了を示すフラグを設定し、前記外部記憶装置が前記情報処理装置から取り外される際に前記読取完了を示すフラグが設定されている場合は、前記自ら保持するデータ及び前記読取完了を示すフラグを消去することを特徴とする外部記憶プログラム。
【請求項１４】
請求項１３に記載の外部記憶プログラムにおいて、
前記読取完了を示すフラグが設定されている場合に、前記自ら保持するデータ及び前記読取完了を示すフラグを消去した後に、前記第１の識別情報を保存していないのであれば前記自ら保持するデータ及び前記第１の識別情報を初期化することを特徴とする外部記憶プログラム。
【請求項１５】
請求項１１乃至１４の何れか１項に記載の外部記憶プログラムにおいて、
前記外部記憶装置が前記情報処理装置から取り外された後に、前記外部記憶装置に電力を供給するためのコンデンサを前記外部記憶装置が更に備えていることを特徴とする外部記憶プログラム。
【発明の詳細な説明】
【技術分野】
【０００１】
本発明は処理装置に接続される携帯型外部記憶装置において、紛失、盗難等不慮の事による情報の漏洩を防止することに関する。
【背景技術】
【０００２】
一般に、携帯型外部記憶装置で実施される情報漏洩防止策としては、パスワード等を用いた認証、データの暗号化、情報漏洩防止ソフトウエアをＰＣ等の情報処理装置に組込むこと等が挙げられる。このような防止策を講じた状況下で、任意の情報処理装置（以下、情報処理装置の具体例として「ＰＣ」を例として説明する。）との一時的なデータの受け渡しを行う際、相手側ＰＣとのソフトウエアの互換性問題によりデータの受け渡しができない場合やパスワード、暗号化設定といった煩わしい操作が必要となる。
【０００３】
このような点に鑑みて、特許文献１には認識コード（ＩＤコード）を用いたＩＣメモリーカードについて開示されている。
【０００４】
特許文献１に記載の技術では、ＩＣメモリーカード上に当該カード所有者のみが知っている認識コード（ＩＤコード）を記憶させておき、当該認識コードと本体側から供給される認識コードを比較することによりデータの保護を図っている。
【先行技術文献】
【特許文献】
【０００５】
【特許文献１】特開平０４−１６３６５０号公報
【発明の概要】
【発明が解決しようとする課題】
【０００６】
上述した特許文献１に記載の技術等を用いることによりユーザの操作を簡略化することが可能となる。しかし、上述したような技術では、会議等においてデータの受け渡しを行う場合、相手側端末とのソフトウエア互換性、操作性により不都合が生じるケースが多々みられる。
【０００７】
また、暗号化、パスワード保護、情報漏洩防止ソフトウエア等により保護を行う場合、
データは携帯型記憶装置に半永久的に保存されていることから、暗号化、パスワード、情報漏洩防止ソフトウエア機能を不正に解除する機会を与えてしまうことで、携帯型記憶装置に保存されているデータが漏洩する危険を含んでいる。
【０００８】
また、上述したような携帯型外部記憶装置では、一旦保存されたデータは、オペレータの消去漏れや消去忘れによって保持され続けることから、紛失、盗難時には管理者の認識していない重要情報が漏洩する危険を含んでいる。
【０００９】
そこで、本発明は暗号化、パスワード、情報漏洩防止ソフトウエア機能を不正に解除する機会を与えず、また消去漏れや消去忘れがあったとしても重要情報の漏洩を防止することが可能な情報漏洩抑止外部記憶装置、その方法及びそのプログラムを提供することを目的とする。
【課題を解決するための手段】
【００１０】
本発明の第１の観点によれば、情報処理装置に接続される外部記憶装置において、前記外部記憶装置が自ら保持するデータへのアクセスを許可する情報処理装置を識別するための第１の識別情報を保存する管理情報保存手段と、前記情報処理装置に接続されたことを検知した場合に、当該情報処理装置を識別するための第２の識別情報を当該情報処理装置から取得する識別情報管理手段と、前記第１の識別情報と、前記第２の識別情報を比較し、前記第１の識別情報と、前記第２の識別情報が一致した際には前記自ら保持するデータにアクセスを許可する制御手段と、を備え、前記識別情報管理手段が前記第２の識別情報を取得できなかった場合、前記管理情報保存手段が前記第１の識別情報を保存していない場合、前記第１の識別情報と前記第２の識別情報が一致しなかった場合、の何れかの場合に該当する際は前記自ら保持するデータ及び前記第１の識別情報を初期化した後に前記情報処理装置からの新規データ書込みを許可することを特徴とする外部記憶装置が提供される。
【００１１】
本発明の第２の観点によれば、情報処理装置に接続される外部記憶装置における外部記憶方法であって、前記外部記憶装置が自ら保持するデータへのアクセスを許可する情報処理装置を識別するための第１の識別情報を保存する管理情報保存領域を用意するステップと、前記情報処理装置に接続されたことを検知した場合に、当該情報処理装置を識別するための第２の識別情報を当該情報処理装置から取得する識別情報管理ステップと、前記第１の識別情報と、前記第２の識別情報を比較し、前記第１の識別情報と、前記第２の識別情報が一致した際には前記自ら保持するデータにアクセスを許可する制御ステップと、を備え、前記識別情報管理ステップが前記第２の識別情報を取得できなかった場合、前記管理情報保存領域が前記第１の識別情報を保存していない場合、前記第１の識別情報と前記第２の識別情報が一致しなかった場合、の何れかの場合に該当する際は前記自ら保持するデータ及び前記第１の識別情報を初期化した後に前記情報処理装置からの新規データ書込みを許可することを特徴とする外部記憶方法が提供される。
【００１２】
本発明の第３の観点によれば、情報処理装置に接続される外部記憶装置に搭載される外部記憶プログラムにおいて、前記外部記憶装置が自ら保持するデータへのアクセスを許可する情報処理装置を識別するための第１の識別情報を保存する管理情報保存手段と、前記情報処理装置に接続されたことを検知した場合に、当該情報処理装置を識別するための第２の識別情報を当該情報処理装置から取得する識別情報管理手段と、前記第１の識別情報と、前記第２の識別情報を比較し、前記第１の識別情報と、前記第２の識別情報が一致した際には前記自ら保持するデータにアクセスを許可する制御手段と、を備え、前記識別情報管理手段が前記第２の識別情報を取得できなかった場合、前記管理情報保存手段が前記第１の識別情報を保存していない場合、前記第１の識別情報と前記第２の識別情報が一致しなかった場合、の何れかの場合に該当する際は前記自ら保持するデータ及び前記第１の識別情報を初期化した後に前記情報処理装置からの新規データ書込みを許可する外部記憶装置としてコンピュータを機能させることを特徴とする外部記憶プログラムが提供される。
【発明の効果】
【００１３】
本発明によれば、本携帯型外部記憶装置が接続対象である情報処理装置以外に接続された場合、自動的に保存データを消去することから、一般的な携帯型外部記憶装置の様な、紛失、盗難による情報漏洩の危険を極めて低く抑えることを行うことが可能となる。
【図面の簡単な説明】
【００１４】
【図１】本発明の実施形態の基本的構成を表す図である。
【図２】本発明の実施形態である携帯型外部記憶装置１０００と情報処理装置２０００の接続について示す図である。
【図３】本発明の実施形態の基本的動作を表す図（１／４）である。
【図４】本発明の実施形態の基本的動作を表す図（２／４）である。
【図５】本発明の実施形態の基本的動作を表す図（３／４）である。
【図６】本発明の実施形態の基本的動作を表す図（４／４）である。
【発明を実施するための形態】
【００１５】
次に、本発明の実施形態について図面を用いて詳細に説明する。
【００１６】
まず、構成を説明する。図１を参照すると、本発明の実施形態である携帯型外部記憶装置１０００は、制御部１００、不揮発性メモリ２００、コンデンサ３００及び入出力部４００を有している。
【００１７】
また、制御部１００は、識別情報管理ツール１１０と、識別情報１２１と、読取完了フラグ１２２を保存する領域の管理情報保存領域１２０と、を有している。制御部１００は、情報処理装置２０００に接続されたことの検出と、識別制御を行う部分である。なお、情報処理装置２０００の具体例としてはＰＣが挙げられる。
【００１８】
不揮発性メモリ２００は、データ保存領域である。コンデンサ３００は、制御部１００と不揮発性メモリ２００に電力を供給する。入出力部４００は、情報処理装置２０００との接続に用いる部分である。情報処理装置２０００と携帯型外部記憶装置１０００が接続された後は入出力部４００を介してデータをやり取りする。加えて、入出力部４００を介して電力の供給を受ける。情報処理装置２０００と携帯型外部記憶装置１０００の接続の一例を図２に示す。
【００１９】
本携帯型外部記憶装置１０００の入出力部４００が情報処理装置２０００に接続されると、接続インタフェースから電源が供給され制御部１００が処理を開始する。制御部１００は識別情報管理ツール１１０を起動する。識別情報管理ツール１１０は、情報処理装置２０００固有の識別情報の取得を行う。識別情報としては、任意の情報を設定することが可能である。本明細書ではその一例としてＩＰアドレス（アイピーアドレス：Internet Protocol Address ）を用いることを例示する。識別情報にＩＰアドレスを用いた場合、２５５の４乗通りの値となり識別情報が偶然一致する確立は限りなく０に近い値となる。
【００２０】
制御部１００は、管理情報保存領域１２０に有効な識別情報１２１が保存されている場合、情報処理装置２０００から取得した識別情報と比較を行う。識別情報が一致する場合、制御部１００は不揮発性メモリ２００を接続し、情報処理装置２０００からのデータアクセスを可能とする。
【００２１】
一方、制御部１００は、以下の３つの場合の何れかに該当する際は不揮発性メモリ２００並びに管理情報保存領域１２０の初期化を行った後に、不揮発性メモリ２００を接続し、新規データ書込みを可能とする。ここで、３つの場合とは、
１）識別情報管理ツール１１０が情報処理装置２０００から識別情報を取得できない場合。
【００２２】
２）管理情報保存領域１２０に有効な識別情報１２１が保存されていない場合。
【００２３】
３）情報処理装置２０００から取得した識別情報と管理情報保存領域１２０に保存されている識別情報が不一致の場合。
の３つである。
【００２４】
制御部１００は、情報処理装置２０００により、本携帯型外部記憶装置１０００の保存データの読み出しが完了した場合、管理情報保存領域１２０の読取完了フラグ１２２に保存データと対となる読取完了フラグを設定する。
【００２５】
制御部１００は、情報処理装置２０００からデータの書込みの完了を検出すると、識別情報管理ツールを起動し、オペレータに接続対象とする情報処理装置２０００の識別情報を入力させる。
【００２６】
入力された識別情報は、管理情報保存領域１２０の識別情報１２１に保存される。
【００２７】
制御部１００は、本外部記憶装置１０００が情報処理装置２０００から取り外されたことを検出すると、管理情報保存領域１２０の読取完了フラグ１２２を確認し、フラグが設定されている場合、該当する保存データと対応する読取完了フラグ１２２のクリアを行う。
【００２８】
また、制御部１００は、管理情報保存領域１２０に有効な識別情報１２１が格納されていない場合、不揮発性メモリ２００、管理情報保存領域１２０の初期化を行う。
【００２９】
これら処理は、本外部記憶装置１０００が情報処理装置２０００に接続されている間に充電されたコンデンサ３００の電力により処理される。
【００３０】
［実施形態の動作の説明］
図１の本携帯型記憶装置１０００が、情報処理装置２０００へ接続された場合の動作について、図３のフローチャートを参照して説明する。
【００３１】
携帯型外部記憶装置１０００が情報処理装置２０００に接続されると（ステップＳ５０１）、識別情報管理ツール１１０が自動起動される（ステップＳ５０２）。識別情報管理ツール１１０は、情報処理装置２０００の識別情報を取得しようと試みる（ステップＳ５０３）。
【００３２】
取得に失敗した場合は（ステップＳ５０３においてＮｏ）、不揮発性メモリ２００の初期化処理を実行する（ステップＳ５０７）。一方、識別情報の取得に成功した場合は（ステップＳ５０３においてＹｅｓ）、次に、管理情報保存領域１２０の識別情報１２１に、有効な識別情報が保存されているかを確認する（ステップＳ５０４）。
【００３３】
有効な識別情報が保存されていない場合は（ステップＳ５０４においてＮｏ）、不揮発性メモリ２００の初期化処理を実行する（ステップＳ５０７）。一方、有効な識別情報が保存されている場合は（ステップＳ５０４においてＹｅｓ）、情報処理装置２０００から取得した識別情報と、識別情報１２１に保存されている識別情報の比較を行う（ステップＳ５０５）。
【００３４】
一致する場合は（ステップＳ５０５においてＹｅｓ）、不揮発性メモリ２００を接続する（ステップＳ５０６）。これより情報処理装置２０００から保存されたデータへのアクセスが可能となる。一方、不一致の場合は（ステップＳ５０５Ｎｏ）、不揮発性メモリ２００の初期化を行う（ステップＳ５０７）。不揮発性メモリ２００初期化処理後は、管理情報保存領域１２０の初期化を実行し（ステップＳ５０８）、不揮発性メモリ２００の接続を行う（ステップＳ５０９）。これにより情報処理装置２０００からの新規データ書込みが可能となる。
【００３５】
次に図１の携帯型外部記憶装置１０００へ、情報処理装置２０００からのデータ書込みが完了した場合の動作を図４に示すフローチャートを使用して説明する。
【００３６】
情報処理装置２０００からのデータ書込みの完了を検出すると（ステップＳ６０１）、制御部１００の識別情報管理ツール１１０が自動起動される（ステップＳ６０２）。
【００３７】
自動起動された識別情報管理ツール１１０は、オペレータ（ユーザ）に識別情報入力させるための入力画面を情報処理装置２０００に表示し、オペレータに識別情報を要求する（ステップＳ６０３）。オペレータからの識別情報を取得できた場合は（ステップＳ６０３においてＹｅｓ）、入力された識別情報を、識別情報１２１に保存する（ステップＳ６０４）。一方、識別情報が正しく入力されない場合は（ステップＳ６０３においてＮｏ）、識別情報１２１を更新せずに処理を終了する。
【００３８】
次に情報処理装置２０００が、図１の携帯型外部記憶装置１０００に保存されたデータの読取が完了した場合の動作を図５に示すフローチャートを使用して説明する。
【００３９】
制御部１００は情報処理装置２０００の読取処理（データ転送）の完了を検出するまで待機する（ステップＳ７０１）。読取処理（データ転送）の完了を検出した場合（ステップＳ７０２においてＹｅｓ）、管理情報保存領域１２０の読取完了フラグ１２２に読取完了を示すフラグを設定する（ステップＳ７０３）。
【００４０】
次に図１の携帯型外部記憶装置１０００が情報処理装置２０００から取り外された場合の動作を図６に示すフローチャートを使用して説明する。
【００４１】
制御部１００は、本携帯型外部記憶装置１０００が情報処理装置２０００から取り外された場合（ステップＳ８０１）、管理情報保存領域１２０の読取完了フラグ１２２が設定されているかを確認する（ステップＳ８０２）。設定されていない場合は（ステップＳ８０２において２）処理を抜ける。一方、設定されている場合は（ステップＳ８０２においてＹｅｓ）、不揮発性メモリ２００に保存される該当データを消去し（ステップＳ８０３）、読取完了フラグ１２２を消去する（ステップＳ８０４）。次に、管理情報保存領域１２０の識別情報１２１に識別情報が保存されているかを確認する（ステップＳ８０５）。保存されている場合は（ステップＳ８０５においてＹｅｓ）、処理を抜ける。保存されていない場合は（ステップＳ８０５においてＮｏ）、不揮発性メモリ２００と、管理情報領域１２０を、それぞれ初期化を行う（ステップＳ８０６）。
【００４２】
以上説明した、本発明の実施形態においては、以下に記載するような効果を奏する。
【００４３】
第一の効果は、携帯型外部記憶装置が接続対象である情報処理装置以外に接続された場合、自動的に保存データを消去するため、従来の携帯型外部記憶装置の様な、紛失、盗難による情報漏洩の危険を極めて低く抑えることができることである。
【００４４】
第二の効果は、本携帯型外部記憶装置は、データの受け渡しに最低限必要な期間しかデータが保存されないため、従来の携帯型外部記憶装置が持つ、紛失、盗難による情報漏洩の危険を、極めて低く抑えることができることである。
【００４５】
第三の効果は、本携帯型外部記憶装置は、データの受け渡し対象となる該当データしか保存されないため、従来の携帯型外部記憶装置の様にデータの消去忘れや消去漏れ等による意図しない重要データが保存されることがないことから、紛失、盗難により、意図しない重要情報が漏洩する危険をなくすことができることである。
【００４６】
なお、本発明の実施形態である情報漏洩抑止外部記憶装置は、ハードウェアにより実現することもできるが、コンピュータをその情報漏洩抑止外部記憶装置として機能させるためのプログラムをコンピュータがコンピュータ読み取り可能な記録媒体から読み込んで実行することによっても実現することができる。
【００４７】
また、本発明の実施形態による情報漏洩抑止外部記憶方法は、ハードウェアにより実現することもできるが、コンピュータにその方法を実行させるためのプログラムをコンピュータがコンピュータ読み取り可能な記録媒体から読み込んで実行することによっても実現することができる。
【００４８】
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【符号の説明】
【００４９】
１００  制御部
１１０  識別情報管理ツール
１２０  管理情報保存領域
１２１  識別情報
１２２  読取完了フラグ
２００  不揮発性メモリ
３００  コンデンサ
４００  入出力部
１０００  携帯型外部記憶装置
２０００  情報処理装置
【図１】
2011039975.tif 000003
【図２】
2011039975.tif 000004
【図３】
2011039975.tif 000005
【図４】
2011039975.tif 000006
【図５】
2011039975.tif 000007
【図６】
2011039975.tif 000008